【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
原稿の第１面を読み取る第１読取部、および、前記原稿の前記第１面の裏面である第２面を読み取る第２読取部を備える画像読取装置であって、
前記第１読取部および前記第２読取部により読み取られて生成された前記第１面および前記第２面を含む統合画像データを、前記第１面の画像データと前記第２面の画像データとに分離するか否かを、前記第１読取部および前記第２読取部により読み取られて生成された画像データに対して行われる処理に基づいて判定する判定手段と、
前記判定手段により分離すると判定された場合に、前記第１面および前記第２面を含む画像データを、前記第１面の画像データと前記第２面の画像データとに分離する分離手段と、
を備えることを特徴とする画像読取装置。
【請求項２】
前記判定手段は、前記処理の種類に応じて、前記第１面および前記第２面を含む統合画像データを、前記第１面の画像データと前記第２面の画像データとに分離するか否かを判定することを特徴とする請求項１に記載の画像読取装置。
【請求項３】
前記判定手段は、ファックス送信に関わる読取指示が入力されたと判定された場合、前記第１面および前記第２面を含む画像データを、前記第１面の画像データと前記第２面の画像データとに分離すると判定することを特徴とする請求項１又は２に記載の画像読取装置。
【請求項４】
情報処理装置とネットワークを介して通信可能であり、原稿の第１面を読み取る第１読取部、および、前記原稿の前記第１面の裏面である第２面を読み取る第２読取部を備える画像読取装置であって、
前記情報処理装置から前記ネットワークを介して読取指示を受信する受信手段と、
前記情報処理装置から前記ネットワークを介して所定のコマンドを含まない前記読取指示を受信した場合、前記第１読取部により読み取られた前記第１面の画像データと前記第２読取部により読み取られた前記第２面の画像データを分離して前記読取指示の送信元である前記情報処理装置に前記ネットワークを介して送信し、
前記情報処理装置から前記ネットワークを介して所定のコマンドを含む前記読取指示を受信した場合、前記第１読取部により読み取られた前記第１面の画像データと前記第２読取部により読み取られた前記第２面の画像データを含む統合画像データを前記ネットワークを介して前記読取指示の送信元である前記情報処理装置に送信する送信制御手段と、
を備えることを特徴とする画像読取装置。
【請求項５】
第１面の画像データと第２面の画像データを含む統合画像データを分離する機能を備えない前記情報処理装置から前記所定のコマンドを含まない前記読取指示を受信することを特徴とする請求項４に記載の画像読取装置。
【請求項６】
前記第１読取部および前記第２読取部が読み取った原稿のサイズが、当該読取において指示されている原稿サイズより小さい場合、当該指示されている原稿サイズとなるように調整用データを付加する付加手段、
をさらに備えることを特徴とする請求項１乃至５のいずれか１項に記載の画像読取装置。
【請求項７】
前記調整用データは、前記原稿の下地の色を表すデータであることを特徴とする請求項６に記載の画像読取装置。
【請求項８】
前記付加手段は、前記第１面および前記第２面を含む画像データにおいて、前記第１面の画像データが表す画像と前記第２面の画像データが表す画像それぞれの下向きに、前記調整用データを付加することを特徴とする請求項６又は７に記載の画像読取装置。
【請求項９】
前記付加手段により前記調整用データが付加された前記第１面および前記第２面を含む画像データを、前記第１面の画像データと前記第２面の画像データに分離することを特徴とする請求項６乃至８のいずれか１項に記載の画像読取装置。
【請求項１０】
前記第１および第２読取部の読取位置に原稿を供給する供給手段、をさらに備え、
前記第１および第２読取部は、前記原稿の搬送路に沿って設けられていることを特徴とする請求項１乃至９のいずれか１項に記載の画像読取装置。
【請求項１１】
原稿の第１面を読み取る第１読取部、および、前記原稿の前記第１面の裏面である第２面を読み取る第２読取部を備える画像読取装置において実行される制御方法であって、
前記第１読取部および前記第２読取部により読み取られて生成された前記第１面および前記第２面を含む統合画像データを、前記第１面の画像データと前記第２面の画像データとに分離するか否かを、前記第１読取部および前記第２読取部により読み取られて生成された画像データに対して行われる処理に基づいて判定する判定工程と、
前記判定工程において分離すると判定された場合に、前記第１面および前記第２面を含む画像データを、前記第１面の画像データと前記第２面の画像データとに分離する分離工程と、
を有することを特徴とする制御方法。
【請求項１２】
情報処理装置とネットワークを介して通信可能であり、原稿の第１面を読み取る第１読取部、および、前記原稿の前記第１面の裏面である第２面を読み取る第２読取部を備える画像読取装置において実行される制御方法であって、
前記情報処理装置から前記ネットワークを介して読取指示を受信する受信工程と、
前記情報処理装置から前記ネットワークを介して所定のコマンドを含まない前記読取指示を受信した場合、前記第１読取部により読み取られた前記第１面の画像データと前記第２読取部により読み取られた前記第２面の画像データを分離して前記読取指示の送信元である前記情報処理装置に前記ネットワークを介して送信し、
前記情報処理装置から前記ネットワークを介して所定のコマンドを含む前記読取指示を受信した場合、前記第１読取部により読み取られた前記第１面の画像データと前記第２読取部により読み取られた前記第２面の画像データを含む統合画像データを前記ネットワークを介して前記読取指示の送信元である前記情報処理装置に送信する送信制御工程と、
を有することを特徴とする制御方法。
【請求項１３】
原稿の第１面を読み取る第１読取部および前記原稿の第２面を読み取る第２読取部により読み取られて生成された前記第１面および前記第２面を含む統合画像データを、前記第１面の画像データと前記第２面の画像データとに分離するか否かを、前記第１読取部および前記第２読取部により読み取られて生成された画像データに対して行われる処理に基づいて判定し、
分離すると判定された場合に、前記第１面および前記第２面を含む画像データを、前記第１面の画像データと前記第２面の画像データとに分離する、
ようにコンピュータを実行させるためのプログラム。
【請求項１４】
前記処理の種類に応じて、前記第１面および前記第２面を含む統合画像データを、前記第１面の画像データと前記第２面の画像データとに分離するか否かを判定することを特徴とする請求項１３に記載のプログラム。
【請求項１５】
ファックス送信に関わる読取指示が入力されたと判定された場合、前記第１面および前記第２面を含む画像データを、前記第１面の画像データと前記第２面の画像データとに分離すると判定することを特徴とする請求項１３又は１４に記載のプログラム。
【請求項１６】
情報処理装置からネットワークを介して読取指示を受信し、
前記情報処理装置から前記ネットワークを介して所定のコマンドを含まない前記読取指示を受信した場合、原稿の第１面が第１の読取部により読み取られた前記第１面の画像データと当該原稿の第２面が第２の読取部により読み取られた前記第２面の画像データを分離して前記読取指示の送信元である前記情報処理装置に前記ネットワークを介して送信し、
前記情報処理装置から前記ネットワークを介して所定のコマンドを含む前記読取指示を受信した場合、原稿の第１面が前記第１の読取部により読み取られた前記第１面の画像データと当該原稿の第２面が前記第２の読取部により読み取られた前記第２面の画像データを含む統合画像データを前記ネットワークを介して前記読取指示の送信元である前記情報処理装置に送信する、
ようにコンピュータを実行させるためのプログラム。
【請求項１７】
第１面の画像データと第２面の画像データを含む統合画像データを分離する機能を備えない前記情報処理装置から前記所定のコマンドを含まない前記読取指示を受信することを特徴とする請求項１６に記載のプログラム。
【請求項１８】
前記第１読取部および前記第２読取部が読み取った原稿のサイズが、当該読取において指示されている原稿サイズより小さい場合、当該指示されている原稿サイズとなるように調整用データを付加する、
ようにコンピュータをさらに実行させるための請求項１３乃至１７のいずれか１項に記載のプログラム。
【請求項１９】
前記調整用データは、前記原稿の下地の色を表すデータであることを特徴とする請求項１８に記載のプログラム。
【請求項２０】
前記第１面および前記第２面を含む画像データにおいて、前記第１面の画像データが表す画像と前記第２面の画像データが表す画像それぞれの下向きに、前記調整用データを付加することを特徴とする請求項１８又は１９に記載のプログラム。
【請求項２１】
前記調整用データが付加された前記第１面および前記第２面を含む画像データを、前記第１面の画像データと前記第２面の画像データに分離することを特徴とする請求項１８乃至２０のいずれか１項に記載のプログラム。
【手続補正２】
【補正対象書類名】明細書
【補正対象項目名】発明の名称
【補正方法】変更
【補正の内容】
【発明の名称】画像読取装置、制御方法およびプログラム
【手続補正３】
【補正対象書類名】明細書
【補正対象項目名】０００１
【補正方法】変更
【補正の内容】
【０００１】
本発明は、原稿の表面と裏面を一回の読取動作で読取可能な画像読取装置、制御方法およびプログラムに関する。
【手続補正４】
【補正対象書類名】明細書
【補正対象項目名】０００５
【補正方法】変更
【補正の内容】
【０００５】
本発明の目的は、このような従来の問題点を解決することにある。本発明は、上記の点に鑑み、原稿を読み取った画像データに対して行われる処理を考慮して、原稿の表裏面を読み取って画像データを出力する画像読取装置、制御方法およびプログラムを提供することを目的とする。
【手続補正５】
【補正対象書類名】明細書
【補正対象項目名】０００６
【補正方法】変更
【補正の内容】
【０００６】
上記課題を解決するため、本発明に係る画像読取装置は、原稿の第１面を読み取る第１読取部、および、前記原稿の前記第１面の裏面である第２面を読み取る第２読取部を備える画像読取装置であって、前記第１読取部および前記第２読取部により読み取られて生成された前記第１面および前記第２面を含む統合画像データを、前記第１面の画像データと前記第２面の画像データとに分離するか否かを、前記第１読取部および前記第２読取部により読み取られて生成された画像データに対して行われる処理に基づいて判定する判定手段と、前記判定手段により分離すると判定された場合に、前記第１面および前記第２面を含む画像データを、前記第１面の画像データと前記第２面の画像データとに分離する分離手段とを備えることを特徴とする。